(57)【要約】  撮像用のレンズシステム（１０）は、物体側（１１）から順に配置され、フォーカシングの際に移動する正の屈折力の第１のレンズ群（Ｇ１）と、絞り（Ｓｔ）を挟んで配置され、フォーカシングの際に移動する正の屈折力の第２のレンズ群（Ｇ２）と、最も像面側（１２）に配置され、固定された正の屈折力の第３のレンズ群（Ｇ３）とを有する。第３のレンズ群は、物体側から順に正の屈折力のレンズと負の屈折力のレンズとからなる接合レンズ（Ｂ３１）を含み、第３のレンズ群の合成焦点距離（ｆ３）と、第１のレンズ群および第２のレンズ群の合成焦点距離（ｆ１２）とが以下の条件を満たす。  ２≦ｆ３／ｆ１２≦２００
2019131751.tif 000002
【特許請求の範囲】
【請求項１】
撮像用のレンズシステムであって、
物体側から順に配置され、フォーカシングの際に移動する正の屈折力の第１のレンズ群と、
絞りを挟んで配置され、フォーカシングの際に移動する正の屈折力の第２のレンズ群と、
最も像面側に配置され、固定された正の屈折力の第３のレンズ群とを有し、
前記第３のレンズ群は、物体側から順に正の屈折力のレンズと負の屈折力のレンズとからなる接合レンズを含み、前記第３のレンズ群の合成焦点距離ｆ３と、前記第１のレンズ群および前記第２のレンズ群の合成焦点距離ｆ１２とが以下の条件を満たす、レンズシステム。
２≦ｆ３／ｆ１２≦２００
【請求項２】
請求項１において、
前記接合レンズの正の屈折力のレンズの屈折率ｎＢ３１ａが以下の条件を満たす、レンズシステム。
１．６５≦ｎＢ３１ａ≦２．０
【請求項３】
請求項１または２において、
前記接合レンズの正の屈折力のレンズおよび負の屈折力のレンズの少なくとも一方のレンズの屈折率ｎＢ３１ａｂと、前記第３のレンズ群の最も物体側の面から最も像面側の面の光軸上の距離Ｇ３Ｌと、前記接合レンズの光軸上の距離Ｂ３１Ｌとが以下の条件を満たす、レンズシステム。
０．６≦Ｂ３１Ｌ／Ｇ３Ｌ≦１
１．８≦ｎＢ３１ａｂ≦２．０
【請求項４】
請求項３において、
前記接合レンズの正の屈折力のレンズの屈折率ｎＢ３１ａと、前記接合レンズの距離Ｂ３１Ｌとは以下の条件を満たす、レンズシステム。
０．６５≦Ｂ３１Ｌ／Ｇ３Ｌ≦０．８０
１．８≦ｎＢ３１ａ≦２．０
【請求項５】
請求項１ないし４のいずれかにおいて、
前記接合レンズの負の屈折力のレンズの屈折率ｎＢ３１ｂが以下の条件を満たす、レンズシステム。
１．６０≦ｎＢ３１ｂ＜１．８７
【請求項６】
請求項１ないし５のいずれかにおいて、
前記接合レンズの正の屈折力のレンズの屈折率ｎＢ３１ａが以下の条件を満たす、レンズシステム。
１．８５≦ｎＢ３１ａ≦２．０
【請求項７】
請求項１ないし６のいずれかにおいて、
前記第３のレンズ群は、物体側から前記接合レンズと、物体側に凹の負の屈折力の後方のレンズとを含む、レンズシステム。
【請求項８】
請求項７において、
前記接合レンズの正の屈折力のレンズおよび負の屈折力のレンズの合成焦点距離ｆ３１ａｂと、前記後方のレンズの焦点距離ｆ３ＧＬとが以下の条件を満たす、レンズシステム。
０．５≦｜ｆ３１ａｂ／ｆ３ＧＬ｜≦１．１
【請求項９】
請求項７または８において、
前記接合レンズの正の屈折力のレンズおよび負の屈折力のレンズの合成焦点距離ｆ３ａｂと、前記後方のレンズの焦点距離ｆ３ＧＬと、前記第３のレンズ群の合成焦点距離ｆ３とが以下の条件を満たす、レンズシステム。
０＜（｜ｆ３１ａｂ｜＋｜ｆ３ＧＬ｜）／｜ｆ３｜≦１．３
【請求項１０】
請求項７ないし９のいずれかにおいて、
前記接合レンズの負の屈折力のレンズの屈折率ｎＢ３１ｂと前記後方のレンズの屈折率ｎ３ＧＬとが以下の条件を満たす、レンズシステム。
０．５＜ｎ３ＧＬ／ｎＢ３１ｂ＜１
【請求項１１】
請求項１ないし１０のいずれかにおいて、
前記第１のレンズ群は、物体側から順に、負の屈折力のレンズと正の屈折力のレンズとからなる第１の接合レンズと、正の屈折力のレンズと負の屈折力のレンズとからなる第２の接合レンズとを含み、
前記第２のレンズ群は、物体側から順に、負の屈折力のレンズと正の屈折力のレンズとからなる第３の接合レンズと、後方の正の屈折力のレンズとを含み、
前記第３のレンズ群は、前記接合レンズを第４の接合レンズとして含み、
前記第１の接合レンズの正の屈折力のレンズの屈折率ｎＢ１１ｂと、前記第４の接合レンズの正の屈折力のレンズの屈折率ｎＢ３１ａとが以下の条件を満たす、レンズシステム。
１．７５≦ｎＢ１１ｂ≦２．０
１．７５≦ｎＢ３１ａ≦２．０
【請求項１２】
請求項１１において、
前記第４の接合レンズの正の屈折力のレンズの屈折率ｎＢ３１ａと、前記第４の接合レンズの負の屈折力のレンズの屈折率ｎＢ３１ｂと、前記第１の接合レンズの負の屈折力のレンズのアッベ数νＢ１１ａと、前記第１の接合レンズの正の屈折力のレンズのアッベ数νＢ１１ｂとが以下の条件を満たす、レンズシステム。
０．５＜ｎＢ３１ｂ／ｎＢ３１ａ＜１
０．５＜νＢ１１ａ／νＢ１１ｂ＜１
【請求項１３】
請求項１１または１２において、
前記第３の接合レンズの正の屈折力のレンズは、異常低分散ガラスからなる、レンズシステム。
【請求項１４】
請求項１１ないし１３のいずれかにおいて、
前記第３の接合レンズの前記後方の正の屈折力のレンズは、異常低分散ガラスからなる、レンズシステム。
【請求項１５】
請求項１ないし１４のいずれかにおいて、
前記第３のレンズ群の合成焦点距離ｆ３と、前記第１のレンズ群および前記第２のレンズ群の合成焦点距離ｆ１２とが以下の条件を満たす、レンズシステム。
１００≦ｆ３／ｆ１２≦１７０
【請求項１６】
請求項１ないし１４のいずれかにおいて、
前記第３のレンズ群の合成焦点距離ｆ３と、前記第１のレンズ群および前記第２のレンズ群の合成焦点距離ｆ１２とが以下の条件を満たす、レンズシステム。
２≦ｆ３／ｆ１２≦１０
【請求項１７】
請求項１ないし１６のいずれかにおいて、
前記第２のレンズ群は、少なくとも１枚の異常低分散ガラスからなるレンズを含む、レンズシステム。
【請求項１８】
請求項１ないし１７のいずれかにおいて、
前記第２のレンズ群は、少なくとも２枚の異常低分散ガラスからなるレンズを含む、レンズシステム。
【請求項１９】
請求項１ないし１８のいずれかにおいて、
前記第１のレンズ群、前記絞りおよび前記第２のレンズ群がフォーカシングの際に一体となって移動する、レンズシステム。
【請求項２０】
請求項１ないし１９のいずれかに記載のレンズシステムと、
前記レンズシステムの像面側に配置された撮像素子とを有する撮像装置。
【発明の詳細な説明】
【技術分野】
【０００１】
本発明は、レンズシステムおよび撮像装置に関するものである。
【背景技術】
【０００２】
日本国特許公開公報２０１４−１２６６５２号には、物体側より順に、開口絞りを含み、正の屈折力を有する第１レンズ群と、負の屈折力を有する第２レンズ群より構成され、無限遠から近距離へのフォーカシングに伴って第１レンズ群が物体側へ移動し、第１レンズ群は、開口絞りより物体側の正の屈折力を有する第１レンズ群前群と、開口絞りより像側の正の屈折力を有する第１レンズ群後群より構成され、第１レンズ群前群は、正レンズを有し、正レンズより像側に、物体側に凸面を向けた正レンズと像側に凹面を向けた負レンズとの接合レンズを有することが記載されている。
【発明の開示】
【０００３】
中望遠または標準タイプのレンズにおいて、高性能なレンズシステムが求められている。
【０００４】
本発明の一態様は、物体側から順に配置され、フォーカシングの際に移動する正の屈折力の第１のレンズ群と、絞りを挟んで配置され、フォーカシングの際に移動する正の屈折力の第２のレンズ群と、最も像面側に配置され、固定された正の屈折力の第３のレンズ群とを有する撮像用のレンズシステムある。第３のレンズ群は、物体側から順に正の屈折力のレンズと負の屈折力のレンズとからなる接合レンズを含み、第３のレンズ群の合成焦点距離ｆ３と、第１のレンズ群および第２のレンズ群の合成焦点距離ｆ１２とが以下の条件を満たす。
２≦ｆ３／ｆ１２≦２００
【０００５】
このレンズシステムは、正−正−正の３群構成である。正のパワーを物体側に配置したタイプでは、負のパワーの像面側に配置するテレフォトタイプ（望遠型）が一般的であり、標準タイプから望遠タイプでコンパクトなタイプのレンズシステムを提供することができる。一方、物体側の正のパワーのレンズで絞った光束を、後方の負のパワーで拡散させて像面に到達させるために各レンズにおける光線の屈折量が大きく、特に正のパワーが集中する物体側のレンズでの屈折量が大きくなり収差補正が難しくなる。収差補正を良好に行うためには数多くの面が必要となり、レンズ枚数が増える傾向になりやすく、レンズ枚数が多くなると個体差や公差による影響が大きくなる。また、レンズ枚数が多くなるとＭＴＦが低下しやすく、設計上でＭＴＦを向上しても、それら数多くのレンズを所定の位置に所定の精度で配置しないとＭＴＦが低下する可能性も高い。
【０００６】
本例のレンズシステムにおいては、テレフォトタイプの正−負というパワー配置を、正−正−正という正のパワーの３群構成とし、正のパワーを３つのレンズ群に分散するようにしている。これにより、正のパワーがいずれかのレンズ群、特に物体側のレンズ群に集中することを避けて、収差の発生を抑制し、収差補正を少ない枚数のレンズで可能としている。さらに、最も像面側の第３のレンズ群の正のパワーを物体側の他のレンズ群に対して低くすることにより、中望遠に適した構成としている。このため、第３のレンズ群の合成焦点距離ｆ３と、第１のレンズ群および第２のレンズ群の合成焦点距離ｆ１２とが上記条件を満たす。
【０００７】
さらに、第３のレンズ群に、ある程度の曲率の接合面と、接合面との距離が確保された曲率の大きな面との組み合わせを含む接合レンズを採用し、面間隔の調整が不要な接合レンズにより、色収差を含む諸収差の補正を行うようにしている。したがって、第３のレンズ群において、接合レンズの占める割合が非常に大きい。一方、接合レンズの距離（長さ）が大きくなりすぎるとレンズシステムの全長が長くなりすぎるとともに、接合面の曲率も大きくなりすぎて製造コストが増加する。このため、第３のレンズ群の接合レンズを高屈折率のガラスを採用し、所定の収差補正能力を備えた接合レンズをコンパクトに実装している。
【０００８】
このため、第３のレンズ群の光軸上の距離（第３のレンズ群の全長）Ｇ３Ｌと、接合レンズの光軸上の距離（接合レンズの長さ）Ｂ３１Ｌとが以下の条件を満たし、さらに接合レンズの正の屈折力のレンズおよび負の屈折力のレンズの少なくとも一方のレンズの屈折率ｎＢ３１ａｂが以下の条件を満たしてもよい。
０．６≦Ｂ３１Ｌ／Ｇ３Ｌ≦１
１．８≦ｎＢ３１ａｂ≦２．０
接合レンズの正の屈折力のレンズの屈折率ｎＢ３１ａは以下の条件を満たしてもよい。
１．６５≦ｎＢ３１ａ≦２．０
【０００９】
このレンズシステムにおいては、第３のレンズ群に、ある程度の曲率の接合面を含む接合レンズを採用し、色収差を含む諸収差の補正を行うようにしている。したがって、第３のレンズ群において、接合レンズの占める割合が非常に大きい。一方、接合レンズの距離（長さ）が大きくなりすぎるとレンズシステムの全長が長くなりすぎるとともに、接合面の曲率も大きくなりすぎて製造コストが増加する。このため、上記条件の屈折率ｎＢ３１ａの正の屈折力のレンズを接合レンズに採用し、所定の収差補正能力を備えた接合レンズをコンパクトに実装している。
【００１０】
本発明の他の態様の１つは、物体側から順に配置された、正の屈折力の第１のレンズ群と、絞りを挟んで配置された正の屈折力の第２のレンズ群と、正の屈折力の第３のレンズ群とから構成された撮像用のレンズシステムである。第１のレンズ群は、物体側から順に、負の屈折力のレンズと正の屈折力のレンズとからなる第１の接合レンズと、正の屈折力のレンズと負の屈折力のレンズとからなる第２の接合レンズとを含み、第２のレンズ群は、物体側から順に、負の屈折力のレンズと正の屈折力のレンズとからなる第３の接合レンズと、後方の正の屈折力のレンズとを含み、第３のレンズ群は、物体側から順に、正の屈折力のレンズと負の屈折力のレンズとからなる第４の接合レンズを含み、第１の接合レンズの正の屈折力のレンズの屈折率ｎＢ１１ｂと、前記第４の接合レンズの正の屈折力のレンズの屈折率ｎＢ３１ａとが以下の条件を満たす。
１．７５≦ｎＢ１１ｂ≦２．０
１．７５≦ｎＢ３１ａ≦２．０
【００１１】
本例のレンズシステムは、テレフォトタイプの正−負というパワー配置を、正−正−正という正のパワーの３群構成とし、正のパワーを３つのレンズ群に分散するようにしている。これにより、正のパワーがいずれかのレンズ群、特に物体側のレンズ群に集中することを避けて、収差の発生を抑制し、収差補正を少ない枚数のレンズで可能としている。        
【００１２】
また、第１のレンズ群の最も物体側に負のレンズと正のレンズとの組み合わせからなる第１の接合レンズが配置され、この第１の接合レンズと対称的な位置で対称的なパワーの組み合わせとなる第４の接合レンズを配置することによりレンズシステムの対称性を向上でき、ペッツバール和の削減にも効果的である。これらの第１および第４の接合レンズにおいて、光軸に沿った距離（厚み）が大きくなる正のパワーのレンズの屈折率ｎＢ１１ｂおよび屈折率ｎＢ３１ａは大きいことが望ましく、上記の条件を満たすことにより対称性もさらに向上し、収差が良好に補正できるレンズシステムを提供できる。
【００１３】
本発明の他の態様の１つは、上記に記載のレンズシステムと、レンズシステムの像面側に配置された撮像素子とを有する撮像装置である。
【図面の簡単な説明】
【００１４】
【図１】実施例１のレンズシステムの構成を示す図であり、図１（ａ）は、フォーカス位置が無限遠のレンズ配置を示し、図１（ｂ）は、フォーカス位置が最短におけるレンズ配置を示す。
【図２】実施例１のレンズシステムを構成する各レンズのデータを示す図。
【図３】実施例１のレンズシステムの諸数値を示す図。
【図４】実施例１のレンズシステムのフォーカスが無限遠の諸収差およびＭＴＦを示す図。
【図５】実施例１のレンズシステムのフォーカスが中間の諸収差およびＭＴＦを示す図。
【図６】実施例１のレンズシステムのフォーカスが最短の諸収差およびＭＴＦを示す図。
【図７】実施例２のレンズシステムの構成を示す図であり、図７（ａ）は、フォーカス位置が無限遠のレンズ配置を示し、図７（ｂ）は、フォーカス位置が最短におけるレンズ配置を示す。
【図８】実施例２のレンズシステムを構成する各レンズのデータを示す図。
【図９】実施例２のレンズシステムの諸数値を示す図。
【図１０】実施例２のレンズシステムのフォーカスが無限遠の諸収差およびＭＴＦを示す図。
【図１１】実施例２のレンズシステムのフォーカスが中間の諸収差およびＭＴＦを示す図。
【図１２】実施例２のレンズシステムのフォーカスが最短の諸収差およびＭＴＦを示す図。
【図１３】実施例３のレンズシステムの構成を示す図であり、図１３（ａ）は、フォーカス位置が無限遠のレンズ配置を示し、図１３（ｂ）は、フォーカス位置が最短におけるレンズ配置を示す。
【図１４】実施例３のレンズシステムを構成する各レンズのデータを示す図。
【図１５】実施例３のレンズシステムの諸数値を示す図。
【図１６】実施例３のレンズシステムのフォーカスが無限遠の諸収差およびＭＴＦを示す図。
【図１７】実施例３のレンズシステムのフォーカスが中間の諸収差およびＭＴＦを示す図。
【図１８】実施例３のレンズシステムのフォーカスが最短の諸収差およびＭＴＦを示す図。
【図１９】実施例４のレンズシステムの構成を示す図であり、図１９（ａ）は、フォーカス位置が無限遠のレンズ配置を示し、図１９（ｂ）は、フォーカス位置が最短におけるレンズ配置を示す。
【図２０】実施例４のレンズシステムを構成する各レンズのデータを示す図。
【図２１】実施例４のレンズシステムの諸数値を示す図。
【図２２】実施例４のレンズシステムのフォーカスが無限遠の諸収差およびＭＴＦを示す図。
【図２３】実施例４のレンズシステムのフォーカスが中間の諸収差およびＭＴＦを示す図。
【図２４】実施例４のレンズシステムのフォーカスが最短の諸収差およびＭＴＦを示す図。
【図２５】実施例５のレンズシステムの構成を示す図であり、図２５（ａ）は、フォーカス位置が無限遠のレンズ配置を示し、図２５（ｂ）は、フォーカス位置が最短におけるレンズ配置を示す。
【図２６】実施例５のレンズシステムを構成する各レンズのデータを示す図。
【図２７】実施例５のレンズシステムの諸数値を示す図。
【図２８】実施例５のレンズシステムのフォーカスが無限遠の諸収差およびＭＴＦを示す図。
【図２９】実施例５のレンズシステムのフォーカスが中間の諸収差およびＭＴＦを示す図。
【図３０】実施例５のレンズシステムのフォーカスが最短の諸収差およびＭＴＦを示す図。
【図３１】実施例６のレンズシステムの構成を示す図であり、図３１（ａ）は、フォーカス位置が無限遠のレンズ配置を示し、図３１（ｂ）は、フォーカス位置が最短におけるレンズ配置を示す。
【図３２】実施例６のレンズシステムを構成する各レンズのデータを示す図。
【図３３】実施例６のレンズシステムの諸数値を示す図。
【図３４】実施例６のレンズシステムのフォーカスが無限遠の諸収差およびＭＴＦを示す図。
【図３５】実施例６のレンズシステムのフォーカスが中間の諸収差およびＭＴＦを示す図。
【図３６】実施例６のレンズシステムのフォーカスが最短の諸収差およびＭＴＦを示す図。
【図３７】実施例７のレンズシステムの構成を示す図であり、図３７（ａ）は、フォーカス位置が無限遠のレンズ配置を示し、図３７（ｂ）は、フォーカス位置が最短におけるレンズ配置を示す。
【図３８】実施例７のレンズシステムを構成する各レンズのデータを示す図。
【図３９】実施例７のレンズシステムの諸数値を示す図。
【図４０】実施例７のレンズシステムのフォーカスが無限遠の諸収差およびＭＴＦを示す図。
【図４１】実施例７のレンズシステムのフォーカスが中間の諸収差およびＭＴＦを示す図。
【図４２】実施例７のレンズシステムのフォーカスが最短の諸収差およびＭＴＦを示す図。
【図４３】実施例８のレンズシステムの構成を示す図であり、図４３（ａ）は、フォーカス位置が無限遠のレンズ配置を示し、図４３（ｂ）は、フォーカス位置が最短におけるレンズ配置を示す。
【図４４】実施例８のレンズシステムを構成する各レンズのデータを示す図。
【図４５】実施例８のレンズシステムの諸数値を示す図。
【図４６】実施例８のレンズシステムのフォーカスが無限遠の諸収差およびＭＴＦを示す図。
【図４７】実施例８のレンズシステムのフォーカスが中間の諸収差およびＭＴＦを示す図。
【図４８】実施例８のレンズシステムのフォーカスが最短の諸収差およびＭＴＦを示す図。
【発明の実施の形態】
【００１５】
図１に、撮像用の光学系を備えた撮像装置（カメラ、カメラ装置）の一例を示している。図１（ａ）はフォーカシングが無限遠の状態を示し、図１（ｂ）はフォーカシングが最近距離の状態を示す。このカメラ（撮像装置）１は、レンズシステム（光学系、撮像光学系、結像光学系）１０と、レンズシステム１０の像面側（画像側、撮像側、結像側）１２に配置された撮像素子（撮像デバイス、像面、結像面）５とを有する。この撮像用のレンズシステム１０は、物体側１１から順に配置された、正の屈折力の第１のレンズ群Ｇ１と、絞りＳｔを挟んで配置された正の屈折力の第２のレンズ群Ｇ２と、正の屈折力の第３のレンズ群Ｇ３とから構成されている。第１のレンズ群Ｇ１、絞りＳｔおよび第２のレンズ群Ｇ２はフォーカシングの際に一体となって移動し、第３のレンズ群Ｇ３は、フォーカシングの際に固定されている。すなわち、第３のレンズ群Ｇ３と像面５との距離はフォーカシングにより変動しない。
【００１６】
このレンズシステム１０は、正−正−正の３群構成の、３５ｍｍ換算で焦点距離が５５ｍｍの標準タイプのレンズシステムであり、第１のレンズ群Ｇ１および第２のレンズ群Ｇ２がフォーカシングの際に光軸７に沿って移動する。正のパワーを物体側１１に配置したタイプでは、負のパワーを像面側１２に配置するテレフォトタイプ（望遠型）が一般的であり、標準タイプから望遠タイプでコンパクトなタイプのレンズシステムを提供することができる。一方、物体側の正のパワーのレンズで絞った光束を、後方の負のパワーで拡散させて像面に到達させるために各レンズにおける光線の屈折量が大きく、特に正のパワーが集中する物体側のレンズでの屈折量が大きくなり収差補正が難しくなる。収差補正を良好に行うためには数多くの面が必要となり、レンズ枚数が増える傾向になりやすく、レンズ枚数が多くなると個体差や公差による影響が大きくなる。また、レンズ枚数が多くなるとＭＴＦ（Ｍｏｄｕｌａｔｉｏｎ  Ｔｒａｎｆｅｒ  Ｆｕｎｃｔｉｏｎ）が低下しやすく、設計上でＭＴＦを向上しても、それら数多くのレンズを所定の位置に所定の精度で配置しないとＭＴＦが低下したり劣化したりする可能性も高い。
【００１７】
本例のレンズシステム１０においては、テレフォトタイプの正−負というパワー配置を、正−正−正という正のパワーの３群構成とし、正のパワーをレンズ群Ｇ１〜Ｇ３に分散するようにしている。これにより、正のパワーがいずれかのレンズ群、特に物体側１１のレンズ群に集中することを避けて、収差の発生を抑制し、収差補正を少ない枚数のレンズで可能としている。さらに、最も像面側１２の第３のレンズ群Ｇ３の正のパワーを物体側１１の他のレンズ群に対して低くすることにより、中望遠に適した構成とするとともに、必要に応じて負のパワーのレンズの組み合わせを可能とし、収差補正により適した構成としている。
【００１８】
したがって、第３のレンズ群の合成焦点距離ｆ３と、第１のレンズ群および第２のレンズ群の合成焦点距離ｆ１２とが以下の条件（１）を満たしてもよい。
２≦ｆ３／ｆ１２≦２００・・・（１）
条件（１）の下限は３であってもよく、１００であってもよく、上限は１７０であってもよい。したがって、条件（１）は以下の条件（１ａ）であってもよい。
３≦ｆ３／ｆ１２≦２００・・・（１ａ）
特に、以下の条件（１ｂ）の範囲は、第３のレンズ群Ｇ３における収差の発生を抑制でき、ＭＴＦの向上に適している。条件（１ｂ）の下限は１１０であってもよい。上限が２００であってもよいことは上記の通りである。
１００≦ｆ３／ｆ１２≦１７０・・・（１ｂ）
また、以下の条件（１ｃ）の範囲は、第３のレンズ群Ｇ３を比較的コンパクトに纏めることができ、全体としてコンパクトなレンズシステム１０を提供できる。条件（１ｃ）の上限は６であってもよい。
２≦ｆ３／ｆ１２≦１０・・・（１ｃ）
【００１９】
さらに、本例のレンズシステム１０においては、第３のレンズ群Ｇ３に、ある程度の曲率の接合面Ｓ１４と、接合面Ｓ１４との距離が確保された曲率の大きな面Ｓ１３およびＳ１５との組み合わせを含む接合レンズＢ３１を採用し、面間隔の調整が不要な接合レンズにより、色収差を含む諸収差の補正を行うようにしている。したがって、第３のレンズ群Ｇ３において、接合レンズＢ３１の占める割合が非常に大きい。一方、接合レンズＢ３１の距離（長さ）Ｂ３１Ｌが大きくなりすぎるとレンズシステム１０の全長ＷＬが長くなりすぎるとともに、接合面Ｓ１４の曲率も大きくなりすぎて製造コストが増加する。このため、第３のレンズ群Ｇ３の接合レンズＢ３１を高屈折率のガラスを採用し、所定の収差補正能力を備えた接合レンズＢ３１をコンパクトに実装している。
【００２０】
このため、第３のレンズ群Ｇ３の最も物体側１１の面Ｓ１３から最も像面側１２の面Ｓ１７の光軸７上の距離（第３のレンズ群Ｇ３の全長）Ｇ３Ｌと、接合レンズＢ３１の光軸７上の距離（面Ｓ１３と面Ｓ１５との距離、接合レンズＢ３１の長さ）Ｂ３１Ｌとは以下の条件（２）を満たしてもよい。
０．６≦Ｂ３１Ｌ／Ｇ３Ｌ≦１・・・（２）
条件（２）の下限は０．６５であってもよく、上限は０．８０であってもよく、特に以下の条件（２ａ）の範囲はＭＴＦの向上に適している。
０．６５≦Ｂ３１Ｌ／Ｇ３Ｌ≦０．８・・・（２ａ）
【００２１】
また、接合レンズＢ３１の正の屈折力のレンズＬ３１および負の屈折力のレンズＬ３２の少なくとも一方のレンズの屈折率ｎＢ３１ａｂが以下の条件（３）を満たしてもよい。
１．８≦ｎＢ３１ａｂ≦２．０・・・（３）
【００２２】
また、第３のレンズ群の距離（全長）Ｇ３Ｌと、レンズシステム１０の全長（最も物体側１１の面Ｓ１から最も像面側１２の面Ｓ１７の光軸７上の距離）ＷＬとは以下の条件（４）を満たしてもよい。
０．１≦Ｇ３Ｌ／ＷＬ≦０．５・・・（４）
条件（４）の下限は０．２であってもよく、０．２５であってもよく、０．２８であってもよい。条件（４）の上限は０．４であってもよい。
【００２３】
さらに、第３のレンズ群Ｇ３の正のパワーを小さくできるので、接合レンズＢ３１の像面側１２に負のパワーのレンズＬ３３を配置することは色収差を含めて諸収差を補正することに有効である。第３のレンズ群Ｇ３は、物体側１１から接合レンズＢ３１と、物体側１１に凹の負の屈折力の後方のレンズＬ３３とを含むことは有効である。最も像面側１２に、物体側１１に凹の負の屈折力のレンズＬ３３を配置することにより、前方の正のパワーのレンズ群Ｇ１およびＧ２との組み合わせではテレフォトタイプ、またはそれに近い構成が実装できる。したがって、レンズシステムの全長ＷＬを短くしやすい。さらに、最も像面側１２の負のパワーのレンズＬ３３により結像面５に向かう光束を広げることが可能となり、大きなイメージサークル、例えば直径５５ｍｍ程度のサイズを確保できる。
【００２４】
また、第３のレンズ群Ｇ３を接合レンズＢ３１と負のパワーのレンズＬ３３との構成とすることにより、第３のレンズ群Ｇ３のパワーを強くせずに、それぞれのレンズのパワーを確保することが可能となる。したがって、レンズ枚数をそれほど増やさずに収差をさらに良好に補正でき、ＭＴＦを向上しやすい。
【００２５】
接合レンズＢ３１の正の屈折力のレンズＬ３１および負の屈折力のレンズＬ３２の合成焦点距離ｆ３１ａｂと、後方のレンズＬ３３の焦点距離ｆ３ＧＬとが以下の条件（５）を満たしてもよい。
０．５≦｜ｆ３１ａｂ／ｆ３ＧＬ｜≦１．１・・・（５）
条件（５）の下限は、０．７であってもよく、１．０であってもよい。特に、以下の条件（５ａ）の範囲は、接合レンズＢ３１のパワーよりも後方の負のレンズＬ３３のパワーが若干上回り、収差を良好に補正できる。
１．０＜｜ｆ３１ａｂ／ｆ３ＧＬ｜≦１．１・・・（５ａ）
【００２６】
また、接合レンズＢ３１の正の屈折力のレンズＬ３１および負の屈折力のレンズＬ３２の合成焦点距離ｆ３１ａｂと、後方のレンズＬ３３の焦点距離ｆ３ＧＬと、第３のレンズ群Ｇ３の合成焦点距離ｆ３とが以下の条件（６）を満たしてもよい。
０＜（｜ｆ３１ａｂ｜＋｜ｆ３ＧＬ｜）／｜ｆ３｜≦１．３・・・（６）
第３のレンズ群Ｇ３のパワーに対して、第３のレンズ群Ｇ３を構成する正のパワーと負のパワーとの合計を同じまたは大きくすることができ、第３のレンズ群Ｇ３のパワーを大きくせずに収差の補正に適した構成を提供できる。条件（６）の上限は１．０であってもよく、０．７であってもよく、０．１であってもよい。特に、以下の条件（６ａ）を満たす範囲は、接合レンズＢ３１の正のパワーと、後ろの負のレンズＬ３３の負のパワーとをほぼ均等で、第３のレンズ群Ｇ３のパワーに対して十分に大きくでき、第３のレンズ群Ｇ３のトータルのパワーを弱く設定できるので収差補正に適している。
０＜（｜ｆ３１ａｂ｜＋｜ｆ３ＧＬ｜）／｜ｆ３｜≦０．１・・・（６ａ）
【００２７】
第３のレンズ群Ｇ３の接合レンズＢ３１は、物体側１１から正のパワーのレンズＬ３１と、負のパワーのレンズＬ３２との組み合わせであることが望ましい。正−正−正のレンズシステム１０において、第１のレンズ群Ｇ１の最も物体側１１に負のレンズＬ１１と正のレンズＬ１２との組み合わせからなる接合レンズＢ１１が配置され、この接合レンズＢ１１と対称的な位置で対称的なパワーの組み合わせであることが対称性を向上でき、ペッツバール和の削減にも効果的である。この接合レンズＢ３１において、光軸７に沿った距離（厚み）が大きくなる正のパワーのレンズＬ３１の屈折率ｎＢ３１ａは大きいことが望ましく、以下の条件（７）を満たしてもよい。
１．６５≦ｎＢ３１ａ≦２．０・・・（７）
【００２８】
また、対称的な位置となる接合レンズＢ１１を構成する正のパワーのレンズＬ１２の屈折率ｎＢ１１ｂとともに、以下の条件（７ａ）および（１１）を満たしてもよい。
１．７５≦ｎＢ３１ａ≦２．０・・・（７ａ）
１．７５≦ｎＢ１１ｂ≦２．０・・・（１１）
【００２９】
この接合レンズＢ３１においては、条件（３）に示したように、正のパワーのレンズＬ３１の屈折率ｎＢ３１ａおよび負のパワーのレンズＬ３２の屈折率ｎＢ３１ｂの少なくとも一方の屈折率が１．８以上であることが望ましい。したがって、正のパワーのレンズＬ３１の屈折率ｎＢ３１ａは大きいことが望ましく、以下の条件（７ｂ）を満たしてもよい。
１．８≦ｎＢ３１ａ≦２．０・・・（７ｂ）
接合レンズＢ３１を十分な面間隔を維持しながら薄くできるので、条件（２ａ）とともに、接合レンズＢ３１の後方（像面側１２）に負のパワーのレンズＬ３３を配置するのに適している。
【００３０】
さらに、接合レンズＢ３１の正の屈折力のレンズＬ３１の屈折率ｎＢ３１ａが以下の条件（７ｃ）を満たしてもよく、条件（７ｄ）を満たしてもよい。
１．８５≦ｎＢ３１ａ≦２．０・・・（７ｃ）
１．８８≦ｎＢ３１ａ≦２．０・・・（７ｄ）
接合レンズＢ３１の物体側１１に凹の接合面Ｓ１４のパワーを得やすく、接合レンズＢ３１における収差補正能力を向上できる。このため、このレンズシステム１０を構成する高屈折率のレンズの数を削減でき、経済的である。
【００３１】
特に、接合レンズＢ３１の正のパワーのレンズＬ３１の屈折率ｎＢ３１ａが、負のパワーのレンズＬ３２の屈折率ｎＢ３１ｂよりも大きく、以下の条件（８）を満たしてもよい。
０．５＜ｎＢ３１ｂ／ｎＢ３１ａ＜１・・・（８）
接合レンズＢ３１の物体側１１に凹の接合面Ｓ１４のパワーを得やすく、接合レンズＢ３１における収差補正能力を向上できる。このため、このレンズシステム１０を構成する高屈折率のレンズの数を削減でき、経済的である。
【００３２】
接合レンズＢ３１の負のパワーのレンズＬ３２の屈折率ｎＢ３１ｂに注目すると、以下の条件（９）を満たしてもよい。
１．６０≦ｎＢ３１ｂ＜１．８７・・・（９）
【００３３】
また、接合レンズＢ３１の負のパワーのレンズＬ３２の屈折率ｎＢ３１ｂと、第３のレンズ群Ｇ３の後方の負のパワーのレンズＬ３３の屈折率ｎ３ＧＬとの関係では以下の条件（１０）を満たしてもよい。
０．５＜ｎ３ＧＬ／ｎＢ３１ｂ＜１・・・（１０）
接合レンズＢ３１の後方（像面側）１２に隣接する、物体側１１に凹の負のレンズＬ３３の屈折率ｎ３ＧＬを相対的に小さくすることにより、負のレンズＬ３３の物体側１１の面Ｓ１６の曲率を大きく（曲率半径を小さく）できる。このため、接合レンズＢ３１の像面側１２の面Ｓ１５に、負のレンズＬ３３の物体側１１に凹の面Ｓ１６の周辺部（エッジ部）を接近または接触させながら面Ｓ１５および面Ｓ１６の間隔を設定できる。したがって、レンズシステム１０の組み立てが容易となりＭＴＦを安定して良好な値を備えたレンズシステム１０を提供できる。
【００３４】
第１のレンズ群Ｇ１は、物体側１１から順に、負の屈折力のレンズＬ１１と正の屈折力のレンズＬ１２とからなる第１の接合レンズＢ１１と、正の屈折力のレンズＬ１３と負の屈折力のレンズＬ１４とからなる第２の接合レンズＢ１２とを含み、第２のレンズ群Ｇ２は、物体側１１から順に、負の屈折力のレンズＬ２１と正の屈折力のレンズＬ２２とからなる第３の接合レンズＢ２１と、後方の正の屈折力のレンズＬ２３とを含み、第３のレンズ群Ｇ３は、物体側１１から順に、正の屈折力のレンズＬ３１と負の屈折力のレンズＬ３２とからなる第４の接合レンズＢ３１を含んでもよい。
【００３５】
このレンズシステム１０は、物体側１１から絞りＳｔを挟んで、負−正−正−負のレンズと、負−正−正−正−負のレンズというほぼ対称的なパワー配置となり、さらに、絞りＳｔから物体側１１に、負−正・正−負の接合レンズＢ１１およびＢ１２が配置され、像面側１２に負−正・正−負の接合レンズＢ２１およびＢ３１が配置されており、接合レンズの単位でも対称的な配置となる。また、物体側１１の２つの接合レンズＢ１１およびＢ１２は、物体側１１に凸の正のメニスカスタイプのレンズと物体側１１に凸の負のメニスカスタイプのレンズの組み合わせであり、像面側１２の２つの接合レンズＢ２１およびＢ３１は、物体側１１に凹の負のメニスカスタイプのレンズと物体側１１に凹の正のメニスカスタイプのレンズとの組み合わせであり、この点でも絞りＳｔを挟んで対称的に面の向きが配置されている。したがって、対称性が高く、収差の補正が容易であり、ペッツバール和を小さくするのに適した配置となっている。このため、このレンズシステム１０は、鮮明で、明るい像を得ることが可能であり、ＭＴＦを向上しやすい。
【００３６】
また、絞りＳｔを挟んで負のメニスカスタイプの接合レンズＢ１２とＢ２１とを向かい合わせに配置することにより絞りＳｔに光軸７に対して平行化した光束を通過させることが可能となり、より明るく、Ｆ値の小さなレンズシステム１０を提供できる。
【００３７】
さらに、最も像面側１２の負のレンズＬ３３を含めて１０枚構成であるが、４つの接合レンズＢ１１、Ｂ１２、Ｂ２１およびＢ３１を含むので、組立の際のレンズ要素としては６枚となる。このため、このレンズシステム１０は組立が容易であるとともに、１０枚のレンズ（Ｌ１１〜Ｌ１４、Ｌ２１〜Ｌ２３、Ｌ３１〜Ｌ３３）の位置を精度よく設定することが可能となり、組立によるＭＴＦの劣化または低下を防止でき、組立による公差変動が小さく、組立感度（組み立てによる性能の変動）の低いレンズシステム１０を提供できる。
【００３８】
さらに、第１の接合レンズＢ１１の正の屈折力のレンズＬ１２の屈折率ｎＢ１１ｂと、第４の接合レンズＢ３１の正の屈折力のレンズＬ３１の屈折率ｎＢ３１ａとが上述した条件（７ａ）および（１１）を満たしてもよい。レンズシステム１０の最も物体側１１および像面側１２に位置する接合レンズＢ１１およびＢ３１の物体側１１に凸の接合面Ｓ２および物体側１１に凹の接合面Ｓ１４のパワーを確保できる。このため、収差補正が良好に行えるとともに、レンズシステム１０に含まれる高屈折率のレンズ枚数を低減でき、低コストで高性能のレンズシステム１０を提供できる。
【００３９】
また、第３のレンズ群Ｇ３の接合レンズ（第４の接合レンズ）Ｂ３１の正の屈折力のレンズＬ３１の屈折率ｎＢ３１ａと、第４の接合レンズＢ３１の負の屈折力のレンズＬ３２の屈折率ｎＢ３１ｂが上記条件（８）を満たし、第１のレンズ群Ｇ１の物体側１１の接合レンズ（第１の接合レンズ）Ｂ１１の負の屈折力のレンズＬ１１のアッベ数νＢ１１ａと、第１の接合レンズＢ１１の正の屈折力のレンズＬ１２のアッベ数νＢ１１ｂとが以下の条件（１２）を満たしてもよい。
０．５＜νＢ１１ａ／νＢ１１ｂ＜１・・・（１２）
【００４０】
このレンズシステム１０の最も物体側１１に配置された負−正の接合レンズＢ１１と、最も像面側１２に配置された正−負の接合レンズＢ３１とを、高屈折率、例えば１．８以上で、低分散（高アッベ数）の正のレンズと、低屈折率、例えば１．７以下で、高分散（低アッベ数）の負のレンズとの組み合わせにすることで、最も物体側１１の物体側１１に凸の接合面Ｓ２と、最も像面側１２で物体側１１に凹の接合面Ｓ１４とに光学的に対称な性能を持たせることが可能となる。したがって、収差補正が良好に行えるとともに、レンズシステム１０に含まれる高屈折率のレンズ枚数を低減でき、低コストで高性能のレンズシステム１０を提供できる。
【００４１】
このレンズシステム１０は正−正−正の３群構成であり、第１のレンズ群の合成焦点距離ｆ１と、第２のレンズ群の合成焦点距離ｆ２と、第３のレンズ群の合成焦点距離ｆ３とは以下の条件（１３）を満たしてもよい。
ｆ２＜ｆ１＜ｆ３・・・（１３）
最も物体側１１に配置された第１のレンズ群Ｇ１のパワーを抑制することにより、物体側１１で最も光線の角度が大きくなりやすいレンズ群における収差の発生を抑制できる。また、最もパワーの大きな第２のレンズ群に異常分散ガラスからなるレンズを採用することによりレンズシステム１０の性能（ＭＴＦ）の向上に有効であり、色収差の補正にも有効である。したがって、第２のレンズ群Ｇ２を構成するレンズＬ２１〜Ｌ２３の少なくとも１枚の異常低分散ガラスからなるレンズを含んでもよい。さらには、第２のレンズ群Ｇ２は、少なくとも２枚の異常低分散ガラスからなるレンズを含んでもよい。具体的には、第２のレンズ群Ｇ２の接合レンズ（第３の接合レンズ）Ｂ２１の正の屈折力のレンズＬ２２は、異常低分散ガラスであってよい。また、第２のレンズ群Ｇ２の接合レンズＢ２１の後方の正の屈折力のレンズＬ２３が、異常低分散ガラスであってもよい。
【００４２】
実施例１
図面を参照してさらに詳しく説明する。図１にレンズシステム１０の幾つかの状態におけるレンズ配置を示している。図１（ａ）は、フォーカス位置が無限遠のレンズ配置を示し、図１（ｂ）は、フォーカス位置が最短（近距離、４００ｍｍ）におけるレンズ配置を示している。
【００４３】
このレンズシステム１０は、無限遠における焦点距離が約６５ｍｍ（３５ｍｍ換算の焦点距離５５ｍｍ）の標準タイプのレンズであり、写真、映画あるいはビデオ撮影用のカメラ１の交換レンズとして適した構成となっている。レンズシステム１０は３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００４４】
図２に、レンズシステム１０を構成する各レンズのデータを示している。曲率半径（Ｒｉ）は物体側１１から順に並んだ各レンズの各面の曲率半径（ｍｍ）、間隔ｄｉは各レンズ面の間の距離（ｍｍ）、有効径（Ｄｉ）は各レンズ面の有効径（直径、ｍｍ）、屈折率ｎｄは各レンズの屈折率（ｄ線）、アッベ数νｄは各レンズのアッベ数（ｄ線）を示している。図２において、レンズ名称にアスタリスクが付記されているものは異常分散性ガラスを用いたレンズであることを示している。以下においても同様である。
【００４５】
図３に、レンズシステム１０の焦点距離が無限遠、中間（２４００ｍｍ）、最短（最接近、４００ｍｍ）のときのレンズシステム１０の焦点距離ｆと、Ｆナンバー（ＦＮｏ．）、画角、可変間隔ｄ１２の値を示している。
【００４６】
図４（ａ）に、レンズシステム１０の焦点距離が無限遠ときの球面収差、非点収差、歪曲収差を示している。球面収差は、波長４３５．８４００ｎｍ（長破線）と、波長４８６．１３００ｎｍ（短破線、ドット）と、波長５４６．０７００ｎｍ（二点鎖線）と、波長５８７．５６００ｎｍ（一点鎖線）と、波長６５６．２８００ｎｍ（実線）とを示している。非点収差は、タンジェンシャル（メリジオナル）光線Ｔとサジタル光線Ｓとを示している。以下に示す収差図においても同様である。
【００４７】
図４（ｂ）は、レンズシステム１０の像高に対するＭＴＦを示している。実線はＲＡＤ（サジタル面内のＭＴＦ）、破線はＴＡＤ（タンジェンシャル（メリジオナル）面内のＭＴＦ）を示し、上から１０本／ｍｍ（１０ｌｐ/ｍｍ）、２０本／ｍｍ（２０ｌｐ/ｍｍ）、３０本／ｍｍ（３０ｌｐ/ｍｍ）のＭＴＦを示している。以下においても同様である。
【００４８】
また、図５に中間（２４００ｍｍ）のときの収差図（図５（ａ））とＭＴＦ（図５（ｂ））とを示し、図６に最短（最接近、４００ｍｍ）のときの収差図（図６（ａ））とＭＴＦ（図６（ｂ））とを示している。
【００４９】
これらの図に示したレンズシステム１０は、全体が１０枚のレンズ（Ｌ１１〜Ｌ１４、Ｌ２１〜Ｌ２３、Ｌ３１〜Ｌ３３）からなる。最も物体側１１に配置された第１のレンズ群Ｇ１は物体側１１から、物体側１１に凸の負のパワーのメニスカスレンズＬ１１と、物体側１１に凸の正のパワーのメニスカスレンズＬ１２と、物体側１１に凸の正のパワーのメニスカスレンズＬ１３と、物体側１１に凸の負のパワーのメニスカスレンズＬ１４との４枚構成である。レンズＬ１１およびＬ１２により物体側１１に凸の正のメニスカスタイプの接合レンズ（バルサム、第１の接合レンズ）Ｂ１１が構成され、レンズＬ１３およびＬ１４により物体側１１に凸の負のメニスカスタイプの接合レンズ（バルサム、第２の接合レンズ）Ｂ１２が構成されている。
【００５０】
絞りＳｔを挟んで第１のレンズ群Ｇ１と対峙する第２のレンズ群Ｇ２は、物体側１１に凹の負のメニスカスレンズＬ２１と、物体側１１に凹の正のメニスカスレンズＬ２２と、両凸の正レンズＬ２３との３枚構成である。レンズＬ２１およびＬ２２により、物体側１１に凹の負のメニスカスタイプの接合レンズ（バルサム、第３の接合レンズ）Ｂ２１が構成されている。
【００５１】
第３のレンズ群Ｇ３は、物体側１１から順に配置された、物体側１１に凹の正のメニスカスレンズＬ３１と、物体側１１に凹の負のメニスカスレンズＬ３２と、物体側に凹の負のメニスカスレンズＬ３３との３枚構成である。レンズＬ３１およびＬ３２により、物体側１１に凹の正のメニスカスタイプの接合レンズ（バルサム、第４の接合レンズ）Ｂ３１が構成されている。
【００５２】
したがって、このレンズシステム１０は、全体として１０枚のレンズにより構成されているが光学要素としては、４つの接合レンズＢ１１、Ｂ１２、Ｂ２１およびＢ３１と、２枚のレンズＬ２３およびＬ３３の６枚構成であり、接合レンズを多用することにより簡易な構成で組み立てやすいレンズシステムとなっている。
【００５３】
図１に示したレンズシステム１０の諸数値および各条件の値は以下の通りである。なお、焦点距離および全長の単位はｍｍである。以下においても同様である。
第１のレンズ群Ｇ１の焦点距離 (f1) : 121.92
第２のレンズ群Ｇ２の焦点距離 (f2) : 73.40
第３のレンズ群Ｇ３の焦点距離 (f3) : 11124.26
第１および第２のレンズ群の合成焦点距離 (f12) : 69.09
接合レンズＢ３１の焦点距離 (f31ab) : 79.47
第３のレンズ群Ｇ３の後方のレンズＬ３３の焦点距離 (f3GL) : -75.50
レンズシステムの全長 (WL) : 69.2
第３のレンズ群Ｇ３の全長 (G3L) : 23.52
接合レンズＢ３１の全長 (B31L) : 16.97
条件（１） (f3/f12) : 161.0
条件（２） (B31L/G3L) : 0.72
条件（３） (nB31ab(max(nL31, nL32))) : 1.89
条件（４） (G3L/WL) : 0.34
条件（５） (|f31ab/f3GL|) : 1.05
条件（６） (|f31ab|+|f3GL|)/|f3|) : 0.01
条件（７） (nB31a(nL31)) : 1.89
条件（８） (nB31b/nB31a(nL32/nL31)) : 0.90
条件（９） (nB31b(nL32)) : 1.70
条件（１０） (n3GL/nB31b(nL33/nL32)) : 0.88
条件（１１） (nB11b(nL12)) : 1.83
条件（１２） (νB11a/νB11b(νL11/νL12)) : 0.81
【００５４】
図１に示したレンズシステム１０は、上記に示した構成を全て含んでおり、さらに条件（１）〜（１３）を満足する。また、条件（１ａ）、（１ｂ）、（２ａ）、（５ａ）、（６ａ）、（７ａ）〜（７ｄ）も含めすべての条件を満足する。また、第２のレンズ群Ｇ２のレンズＬ２２およびＬ２３に異常分散レンズを採用する一方、屈折率が１．８以上の高屈折率のレンズはＬ１２とＬ３１の２枚となっており、低コストで諸収差を良好に補正できるレンズシステム１０を提供できる。
【００５５】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８０と明るく、画角が４６．８度と大きな撮像レンズを提供できる。また、図４ないし図６に示すように、無限遠から近距離（短距離）までのフォーカシングの全域において諸収差が良好に補正された画像を取得できる。ＭＴＦ曲線においては、無限遠から近距離までのフォーカシングの全領域においてＭＴＦの極端な低下は見られず、サジタルとタンジェンシャルとの剥離も小さく、コマ収差、非点収差などが良好に補正されていることが分かる。
【００５６】
実施例２
図７にレンズシステム１０の異なる例を示している。図７（ａ）は、フォーカス位置が無限遠のレンズ配置を示し、図７（ｂ）は、フォーカス位置が最短（近距離、４１０ｍｍ）におけるレンズ配置を示している。
【００５７】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００５８】
図８に、レンズシステム１０を構成する各レンズのデータを示している。図９に、レンズシステム１０の焦点距離が無限遠、中間（２４００ｍｍ）、最短（最接近、４１０ｍｍ）のときのレンズシステム１０の焦点距離ｆと、Ｆナンバー（ＦＮｏ．）、画角、可変間隔ｄ１２の値を示している。図１０〜１２に、レンズシステム１０の焦点距離が無限遠、中間および最短のときの諸収差（図１０（ａ），１１（ａ），１２（ａ））と、ＭＴＦ（図１０（ｂ），１１（ｂ），１２（ｂ））とを示している。
【００５９】
これらの図に示したレンズシステム１０は、全体が１０枚のレンズ（Ｌ１１〜Ｌ１４、Ｌ２１〜Ｌ２３、Ｌ３１〜Ｌ３３）からなり、各群および各レンズの基本的な構成は、図１に示した実施例１と共通する。したがって、このレンズシステム１０も、全体として１０枚のレンズにより構成されているが光学要素としては、４つの接合レンズＢ１１、Ｂ１２、Ｂ２１およびＢ３１と、２枚のレンズＬ２３およびＬ３３の６枚構成であり、接合レンズを多用することにより簡易な構成で組み立てやすいレンズシステムとなっている。
【００６０】
図７に示したレンズシステム１０の諸数値および各条件の値は以下の通りである。
第１のレンズ群Ｇ１の焦点距離 (f1) : 106.87
第２のレンズ群Ｇ２の焦点距離 (f2) : 79.81
第３のレンズ群Ｇ３の焦点距離 (f3) : 7636.74
第１および第２のレンズ群の合成焦点距離 (f12) : 69.00
接合レンズＢ３１の焦点距離 (f31ab) : 85.34
第３のレンズ群Ｇ３の後方のレンズＬ３３の焦点距離 (f3GL) : -81.56
レンズシステムの全長 (WL) : 69.2
第３のレンズ群Ｇ３の全長 (G3L) : 23.60
接合レンズＢ３１の全長 (B31L) : 17.10
条件（１） (f3/f12) : 110.7
条件（２） (B31L/G3L) : 0.72
条件（３） (nB31ab(max(nL31, nL32))) : 1.89
条件（４） (G3L/WL) : 0.34
条件（５） (|f31ab/f3GL|) : 1.05
条件（６） (|f31ab|+|f3GL|)/|f3|) : 0.02
条件（７） (nB31a(nL31)) : 1.89
条件（８） (nB31b/nB31a(nL32/nL31)) : 0.90
条件（９） (nB31b(nL32)) : 1.70
条件（１０） (n3GL/nB31b(nL33/nL32)) : 0.88
条件（１１） (nB11b(nL12)) : 1.83
条件（１２） (νB11a/νB11b(νL11/νL12)) : 0.81
【００６１】
図７に示したレンズシステム１０は、上記に示した構成を全て含んでおり、さらに条件（１）〜（１３）を満足する。また、条件（１ａ）、（１ｂ）、（２ａ）、（５ａ）、（６ａ）、（７ａ）〜（７ｄ）も含めすべての条件を満足する。また、第２のレンズ群Ｇ２のレンズＬ２２に異常分散レンズを採用する一方、屈折率が１．８以上の高屈折率のレンズはＬ１２とＬ３１の２枚となっており、低コストで諸収差を良好に補正できるレンズシステム１０を提供できる。
【００６２】
このレンズシステム１０は、無限遠にフォーカスしたときの焦点距離が６５ｍｍ程度と中望遠または標準タイプの交換レンズとしての性能を備えており、Ｆナンバー（Ｆ値）が３．２４と明るく、画角が４６．８度と大きな撮像レンズを提供できる。また、図１０ないし図１２に示すように、無限遠から近距離（短距離）までのフォーカシングの全域において諸収差が良好に補正された画像を取得できる。ＭＴＦ曲線においては、無限遠から近距離までのフォーカシングの全領域においてＭＴＦの極端な低下は見られず、サジタルとタンジェンシャルとの剥離も小さく、コマ収差、非点収差などが良好に補正されている。特に、近距離のＭＴＦに対して無限遠のＭＴＦが良好であることが分かる。
【００６３】
実施例３
図１３にレンズシステム１０の異なる例を示している。図１３（ａ）は、フォーカス位置が無限遠のレンズ配置を示し、図１３（ｂ）は、フォーカス位置が最短（近距離、５４５ｍｍ）におけるレンズ配置を示している。
【００６４】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００６５】
図１４に、レンズシステム１０を構成する各レンズのデータを示している。図１５に、レンズシステム１０の焦点距離が無限遠、中間（２４００ｍｍ）、最短（最接近、５４５ｍｍ）のときのレンズシステム１０の焦点距離ｆと、Ｆナンバー（ＦＮｏ．）、画角、可変間隔ｄ１２の値を示している。図１６〜１８に、レンズシステム１０の焦点距離が無限遠、中間および最短のときの諸収差（図１６（ａ），１７（ａ），１８（ａ））と、ＭＴＦ（図１６（ｂ），１７（ｂ），１８（ｂ））とを示している。
【００６６】
これらの図に示したレンズシステム１０は、全体が１０枚のレンズ（Ｌ１１〜Ｌ１４、Ｌ２１〜Ｌ２３、Ｌ３１〜Ｌ３３）からなり、各群および各レンズの基本的な構成は、第３のレンズ群Ｇ３の最も物体側１１の正の屈折力のレンズＬ３１が両凸の正レンズであり、接合レンズＢ３１も両凸の正レンズタイプであること以外は、図１に示した実施例１と共通する。したがって、このレンズシステム１０も、全体として１０枚のレンズにより構成されているが光学要素としては、４つの接合レンズＢ１１、Ｂ１２、Ｂ２１およびＢ３１と、２枚のレンズＬ２３およびＬ３３の６枚構成であり、接合レンズを多用することにより簡易な構成で組み立てやすいレンズシステムとなっている。
【００６７】
図１３に示したレンズシステム１０の諸数値および各条件の値は以下の通りである。
第１のレンズ群Ｇ１の焦点距離 (f1) : 127.08
第２のレンズ群Ｇ２の焦点距離 (f2) : 75.22
第３のレンズ群Ｇ３の焦点距離 (f3) : 261.12
第１および第２のレンズ群の合成焦点距離 (f12) : 75.26
接合レンズＢ３１の焦点距離 (f31ab) : 81.08
第３のレンズ群Ｇ３の後方のレンズＬ３３の焦点距離 (f3GL) : -113.66
レンズシステムの全長 (WL) : 67.23
第３のレンズ群Ｇ３の全長 (G3L) : 18.58
接合レンズＢ３１の全長 (B31L) : 14.35
条件（１） (f3/f12) : 3.47
条件（２） (B31L/G3L) : 0.77
条件（３） (nB31ab(max(nL31, nL32))) : 1.85
条件（４） (G3L/WL) : 0.28
条件（５） (|f31ab/f3GL|) : 0.71
条件（６） (|f31ab|+|f3GL|)/|f3|) : 0.75
条件（７） (nB31a(nL31)) : 1.82
条件（８） (nB31b/nB31a(nL32/nL31)) : 1.02
条件（９） (nB31b(nL32)) : 1.85
条件（１０） (n3GL/nB31b(nL33/nL32)) : 0.80
条件（１１） (nB11b(nL12)) : 1.80
条件（１２） (νB11a/νB11b(νL11/νL12)) : 1.13
【００６８】
図１３に示したレンズシステム１０は、条件（１）〜（７）、（９）〜（１１）および（１３）を満足する。また、条件（１ａ）、（１ｃ）、（２ａ）および（７ａ）〜（７ｂ）を満足する。また、第２のレンズ群Ｇ２のレンズＬ２２に異常分散レンズを採用している。このレンズシステム１０においては、屈折率が１．８以上の高屈折率のレンズはＬ１２、Ｌ１４、Ｌ２３、Ｌ３１とＬ３２の５枚となっており、比較的多くの高屈折率のレンズを採用し、諸収差を良好に補正している。
【００６９】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４７．６度と大きな撮像レンズを提供できる。また、図１６ないし図１８に示すように、無限遠から近距離（短距離）までのフォーカシングの全域において諸収差が良好に補正された画像を取得できる。ＭＴＦ曲線においては、無限遠から近距離までのフォーカシングの全領域において、像高の高い領域を除いてＭＴＦの極端な低下は見られず、サジタルとタンジェンシャルとの剥離も小さい。
【００７０】
実施例４
図１９にレンズシステム１０の異なる例を示している。図１９（ａ）は、フォーカス位置が無限遠のレンズ配置を示し、図１９（ｂ）は、フォーカス位置が最短（近距離、５５５ｍｍ）におけるレンズ配置を示している。
【００７１】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００７２】
図２０に、レンズシステム１０を構成する各レンズのデータを示している。図２１に、レンズシステム１０の焦点距離が無限遠、中間（２５００ｍｍ）、最短（最接近、５５５ｍｍ）のときのレンズシステム１０の焦点距離ｆと、Ｆナンバー（ＦＮｏ．）、画角、可変間隔ｄ１２の値を示している。図２２〜２４に、レンズシステム１０の焦点距離が無限遠、中間および最短のときの諸収差（図２２（ａ），２３（ａ），２４（ａ））と、ＭＴＦ（図２２（ｂ），２３（ｂ），２４（ｂ））とを示している。
【００７３】
これらの図に示したレンズシステム１０は、全体が１０枚のレンズからなる。第１のレンズ群Ｇ１は、３枚構成で、物体側１１に凸の正のメニスカスレンズＬ１１と、物体側１１に凸の正のメニスカスレンズＬ１３と、物体側１１に凸の負のメニスカスレンズＬ１４とを含む。レンズＬ１３およびＬ１４は、物体側１１に凸の負のメニスカスレンズタイプの接合レンズＢ１２を構成する。第２のレンズ群Ｇ２は４枚構成で、物体側に凹の負のメニスカスレンズＬ２１と、物体側１１に凹の正のメニスカスレンズＬ２２と、両凸の正レンズＬ２３ａと、物体側１１に凹の負のメニスカスレンズＬ２３ｂとを含む。レンズＬ２１およびＬ２２は、物体側１１に凹の接合レンズＢ２１を構成し、レンズＬ２３ａおよびＬ２３ｂは両凸の接合レンズＢ２２を構成する。
【００７４】
第３のレンズ群Ｇ３は、両凸の正レンズＬ３１と、物体側１１に凹の負のメニスカスレンズＬ３２と、物体側１１に凹の負のメニスカスレンズＬ３３とを含み、レンズＬ３１およびＬ３２により両凸の接合レンズＢ３１が構成されている。
【００７５】
図１９に示したレンズシステム１０の諸数値および各条件の値は以下の通りである。
第１のレンズ群Ｇ１の焦点距離 (f1) : 122.56
第２のレンズ群Ｇ２の焦点距離 (f2) : 84.55
第３のレンズ群Ｇ３の焦点距離 (f3) : 244.88
第１および第２のレンズ群の合成焦点距離 (f12) : 76.12
接合レンズＢ３１の焦点距離 (f31ab) : 62.62
第３のレンズ群Ｇ３の後方のレンズＬ３３の焦点距離 (f3GL) : -81.25
レンズシステムの全長 (WL) : 68.7
第３のレンズ群Ｇ３の全長 (G3L) : 17.66
接合レンズＢ３１の全長 (B31L) : 13.85
条件（１） (f3/f12) : 3.22
条件（２） (B31L/G3L) : 0.78
条件（３） (nB31ab(max(nL31, nL32))) : 1.92
条件（４） (G3L/WL) : 0.26
条件（５） (|f31ab/f3GL|) : 0.77
条件（６） (|f31ab|+|f3GL|)/|f3|) : 0.59
条件（７） (nB31a(nL31)) : 1.85
条件（８） (nB31b/nB31a(nL32/nL31)) : 1.04
条件（９） (nB31b(nL32)) : 1.92
条件（１０） (n3GL/nB31b(nL33/nL32)) : 0.84
条件（１１） (nB11b(nL12)) : NA
条件（１２） (νB11a/νB11b(νL11/νL12)) : NA
【００７６】
図１９に示したレンズシステム１０は、条件（１）〜（７）、（９）、（１０）および（１３）を満足する。また、条件（１ａ）、（１ｃ）、（２ａ）および（７ａ）〜（７ｂ）を満足する。また、第２のレンズ群Ｇ２のレンズＬ２２に異常分散レンズを採用している。このレンズシステム１０においては、屈折率が１．８以上の高屈折率のレンズはＬ１１、Ｌ２３ａ、Ｌ２３ｂ、Ｌ３１とＬ３２の５枚となっており、比較的多くの高屈折率のレンズを採用し、諸収差を良好に補正している。
【００７７】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４７．６度と大きな撮像レンズを提供できる。また、図２２ないし図２４に示すように、無限遠から近距離（短距離）までのフォーカシングの全域において諸収差が良好に補正された画像を取得できる。ＭＴＦ曲線においては、無限遠から近距離までのフォーカシングの全領域において、ＭＴＦの極端な低下は見られず、サジタルとタンジェンシャルとの剥離も大きくなく良好である。
【００７８】
実施例５
図２５にレンズシステム１０の異なる例を示している。図２５（ａ）は、フォーカス位置が無限遠のレンズ配置を示し、図２５（ｂ）は、フォーカス位置が最短（近距離、５４０ｍｍ）におけるレンズ配置を示している。
【００７９】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００８０】
図２６に、レンズシステム１０を構成する各レンズのデータを示している。図２７に、レンズシステム１０の焦点距離が無限遠、中間（２４００ｍｍ）、最短（最接近、５４０ｍｍ）のときのレンズシステム１０の焦点距離ｆと、Ｆナンバー（ＦＮｏ．）、画角、可変間隔ｄ１２の値を示している。図２８〜３０に、レンズシステム１０の焦点距離が無限遠、中間および最短のときの諸収差（図２８（ａ），２９（ａ），３０（ａ））と、ＭＴＦ（図２８（ｂ），２９（ｂ），３０（ｂ））とを示している。
【００８１】
これらの図に示したレンズシステム１０は、全体が１０枚のレンズ（Ｌ１１〜Ｌ１４、Ｌ２１〜Ｌ２３、Ｌ３１〜Ｌ３３）からなり、各群および各レンズの基本的な構成は、第３のレンズ群Ｇ３の最も物体側１１の正の屈折力のレンズＬ３１が両凸の正レンズであり、接合レンズＢ３１も両凸の正レンズタイプであること以外は、図１に示した実施例１と共通する。したがって、このレンズシステム１０も、全体として１０枚のレンズにより構成されているが光学要素としては、４つの接合レンズＢ１１、Ｂ１２、Ｂ２１およびＢ３１と、２枚のレンズＬ２３およびＬ３３の６枚構成であり、接合レンズを多用することにより簡易な構成で組み立てやすいレンズシステムとなっている。
【００８２】
図２５に示したレンズシステム１０の諸数値および各条件の値は以下の通りである。
第１のレンズ群Ｇ１の焦点距離 (f1) : 136.84
第２のレンズ群Ｇ２の焦点距離 (f2) : 80.26
第３のレンズ群Ｇ３の焦点距離 (f3) : 186.81
第１および第２のレンズ群の合成焦点距離 (f12) : 80.60
接合レンズＢ３１の焦点距離 (f31ab) : 75.07
第３のレンズ群Ｇ３の後方のレンズＬ３３の焦点距離 (f3GL) : -122.63
レンズシステムの全長 (WL) : 64.07
第３のレンズ群Ｇ３の全長 (G3L) : 15.97
接合レンズＢ３１の全長 (B31L) : 13.10
条件（１） (f3/f12) : 2.32
条件（２） (B31L/G3L) : 0.82
条件（３） (nB31ab(max(nL31, nL32))) : 1.80
条件（４） (G3L/WL) : 0.25
条件（５） (|f31ab/f3GL|) : 0.61
条件（６） (|f31ab|+|f3GL|)/|f3|) : 1.06
条件（７） (nB31a(nL31)) : 1.70
条件（８） (nB31b/nB31a(nL32/nL31)) : 1.06
条件（９） (nB31b(nL32)) : 1.80
条件（１０） (n3GL/nB31b(nL33/nL32)) : 0.83
条件（１１） (nB11b(nL12)) : 1.83
条件（１２） (νB11a/νB11b(νL11/νL12)) : 1.64
【００８３】
図２５に示したレンズシステム１０は、条件（１）〜（７）、（９）〜（１１）および（１３）を満足する。また、条件（１ｃ）を満足する。このレンズシステム１０においては、異常分散レンズを採用しておらず、屈折率が１．８以上の高屈折率のレンズはＬ１２、Ｌ１４、Ｌ２３とＬ３２の４枚となっている。比較的多くの高屈折率のレンズを採用し、諸収差を良好に補正している。
【００８４】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４７．８度と大きな撮像レンズを提供できる。また、図２８ないし図３０に示すように、無限遠から近距離（短距離）までのフォーカシングの全域において諸収差が良好に補正された画像を取得できる。ＭＴＦ曲線においては、無限遠から近距離までのフォーカシングの全領域において、ＭＴＦの極端な低下は見られず、サジタルとタンジェンシャルとの剥離も小さく良好である。
【００８５】
実施例６
図３１にレンズシステム１０の異なる例を示している。図３１（ａ）は、フォーカス位置が無限遠のレンズ配置を示し、図３１（ｂ）は、フォーカス位置が最短（近距離、６００ｍｍ）におけるレンズ配置を示している。
【００８６】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００８７】
図３２に、レンズシステム１０を構成する各レンズのデータを示している。図３３に、レンズシステム１０の焦点距離が無限遠、中間（２５００ｍｍ）、最短（最接近、６００ｍｍ）のときのレンズシステム１０の焦点距離ｆと、Ｆナンバー（ＦＮｏ．）、画角、可変間隔ｄ１２の値を示している。図３４〜３６に、レンズシステム１０の焦点距離が無限遠、中間および最短のときの諸収差（図３４（ａ），３５（ａ），３６（ａ））と、ＭＴＦ（図３４（ｂ），３５（ｂ），３６（ｂ））とを示している。
【００８８】
これらの図に示したレンズシステム１０は、全体が１０枚のレンズ（Ｌ１１〜Ｌ１４、Ｌ２１〜Ｌ２３、Ｌ３１〜Ｌ３３）からなり、各群および各レンズの基本的な構成は、実施例５のレンズシステム１０と共通し、光学要素としては、接合レンズを多用した構成となっている。
【００８９】
図３１に示したレンズシステム１０の諸数値および各条件の値は以下の通りである。
第１のレンズ群Ｇ１の焦点距離 (f1) : 139.11
第２のレンズ群Ｇ２の焦点距離 (f2) : 77.96
第３のレンズ群Ｇ３の焦点距離 (f3) : 195.53
第１および第２のレンズ群の合成焦点距離 (f12) : 79.78
接合レンズＢ３１の焦点距離 (f31ab) : 77.75
第３のレンズ群Ｇ３の後方のレンズＬ３３の焦点距離 (f3GL) : -126.46
レンズシステムの全長 (WL) : 64.10
第３のレンズ群Ｇ３の全長 (G3L) : 15.88
接合レンズＢ３１の全長 (B31L) : 13.10
条件（１） (f3/f12) : 2.45
条件（２） (B31L/G3L) : 0.82
条件（３） (nB31ab(max(nL31, nL32))) : 1.80
条件（４） (G3L/WL) : 0.25
条件（５） (|f31ab/f3GL|) : 0.61
条件（６） (|f31ab|+|f3GL|)/|f3|) : 1.04
条件（７） (nB31a(nL31)) : 1.70
条件（８） (nB31b/nB31a(nL32/nL31)) : 1.06
条件（９） (nB31b(nL32)) : 1.80
条件（１０） (n3GL/nB31b(nL33/nL32)) : 0.83
条件（１１） (nB11b(nL12)) : 1.83
条件（１２） (νB11a/νB11b(νL11/νL12)) : 1.64
【００９０】
図３１に示したレンズシステム１０は、条件（１）〜（７）、（９）〜（１１）および（１３）を満足する。また、条件（１ｃ）を満足する。このレンズシステム１０においては、異常分散レンズを採用しておらず、屈折率が１．８以上の高屈折率のレンズはＬ１２、Ｌ１４、Ｌ２３とＬ３２の４枚となっている。比較的多くの高屈折率のレンズを採用し、諸収差を良好に補正している。
【００９１】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４７．８度と大きな撮像レンズを提供できる。また、図３４ないし図３６に示すように、無限遠から近距離（短距離）までのフォーカシングの全域において諸収差が良好に補正された画像を取得できる。ＭＴＦ曲線においては、無限遠から近距離までのフォーカシングの全領域において、ＭＴＦの極端な低下は見られず、サジタルとタンジェンシャルとの剥離も小さく良好である。
【００９２】
実施例７
図３７にレンズシステム１０の異なる例を示している。図３７（ａ）は、フォーカス位置が無限遠のレンズ配置を示し、図３７（ｂ）は、フォーカス位置が最短（近距離、５９０ｍｍ）におけるレンズ配置を示している。
【００９３】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【００９４】
図３８に、レンズシステム１０を構成する各レンズのデータを示している。図３９に、レンズシステム１０の焦点距離が無限遠、中間（３０００ｍｍ）、最短（最接近、５９０ｍｍ）のときのレンズシステム１０の焦点距離ｆと、Ｆナンバー（ＦＮｏ．）、画角、可変間隔ｄ１３の値を示している。図４０〜４２に、レンズシステム１０の焦点距離が無限遠、中間および最短のときの諸収差（図４０（ａ），４１（ａ），４２（ａ））と、ＭＴＦ（図４０（ｂ），４１（ｂ），４２（ｂ））とを示している。
【００９５】
これらの図に示したレンズシステム１０は、全体が１０枚のレンズ（Ｌ１１〜Ｌ１４、Ｌ２１〜Ｌ２３、Ｌ３１〜Ｌ３３）からなり、各群および各レンズの基本的な構成は、第１のレンズ群Ｇ１のレンズＬ１３およびＬ１４は単独で配置され、接合レンズを構成しない点を除くと実施例１のレンズシステム１０と共通し、光学要素としては、３つの接合レンズＢ１１、Ｂ２１およびＢ３１と、レンズＬ１３、Ｌ１４、Ｌ２３およびＬ３３とを含む７つの要素により構成されている。なお、本例のレンズシステム１０においては、上述した面Ｓ１３、Ｓ１４、Ｓ１５、Ｓ１６およびＳ１７はそれぞれ、面Ｓ１４、Ｓ１５、Ｓ１６、Ｓ１７およびＳ１８に対応する。
【００９６】
図３７に示したレンズシステム１０の諸数値および各条件の値は以下の通りである。
第１のレンズ群Ｇ１の焦点距離 (f1) : 133.84
第２のレンズ群Ｇ２の焦点距離 (f2) : 83.22
第３のレンズ群Ｇ３の焦点距離 (f3) : 194.91
第１および第２のレンズ群の合成焦点距離 (f12) : 78.33
接合レンズＢ３１の焦点距離 (f31ab) : 88.56
第３のレンズ群Ｇ３の後方のレンズＬ３３の焦点距離 (f3GL) : -162.41
レンズシステムの全長 (WL) : 63.10
第３のレンズ群Ｇ３の全長 (G3L) : 15.04
接合レンズＢ３１の全長 (B31L) : 11.67
条件（１） (f3/f12) : 2.49
条件（２） (B31L/G3L) : 0.78
条件（３） (nB31ab(max(nL31, nL32))) : 2.00
条件（４） (G3L/WL) : 0.24
条件（５） (|f31ab/f3GL|) : 0.55
条件（６） (|f31ab|+|f3GL|)/|f3|) : 1.29
条件（７） (nB31a(nL31)) : 1.83
条件（８） (nB31b/nB31a(nL32/nL31)) : 1.09
条件（９） (nB31b(nL32)) : 2.00
条件（１０） (n3GL/nB31b(nL33/nL32)) : 0.74
条件（１１） (nB11b(nL12)) : 1.88
条件（１２） (νB11a/νB11b(νL11/νL12)) : 1.75
【００９７】
図３７に示したレンズシステム１０は、条件（１）〜（７）、（９）〜（１１）および（１３）を満足する。また、条件（１ｃ）、（２ａ）、（７ａ）および（７ｂ）を満足する。このレンズシステム１０においては、異常分散レンズを採用しておらず、屈折率が１．８以上の高屈折率のレンズはＬ１２、Ｌ１４、Ｌ２３とＬ３２の４枚となっている。比較的多くの高屈折率のレンズを採用し、諸収差を良好に補正している。
【００９８】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４７．６度と大きな撮像レンズを提供できる。また、図４０ないし図４２に示すように、無限遠から近距離（短距離）までのフォーカシングの全域において諸収差が良好に補正された画像を取得できる。ＭＴＦ曲線においては、無限遠から近距離までのフォーカシングの全領域において、ＭＴＦの極端な低下は見られず、サジタルとタンジェンシャルとの剥離も小さく良好である。
【００９９】
実施例８
図４３にレンズシステム１０の異なる例を示している。図４３（ａ）は、フォーカス位置が無限遠のレンズ配置を示し、図４３（ｂ）は、フォーカス位置が最短（近距離、５００ｍｍ）におけるレンズ配置を示している。
【０１００】
このレンズシステム１０も正−正−正のパワー配置の３群構成であり、物体側１１から合成屈折力（パワー）が正の第１のレンズ群Ｇ１、絞りＳｔを挟んで、パワーが正の第２のレンズ群Ｇ２、パワーが正の第３のレンズ群Ｇ３からなり、第３のレンズ群Ｇ３は、フォーカシングに際して像面５に対する距離は変わらずに動かず、固定されたレンズ群である。絞りＳｔを挟んで配置された第１のレンズ群Ｇ１および第２のレンズ群Ｇ２は、フォーカシングの際に、無限遠から近距離にフォーカス位置が移動すると、一体で、物体側１１に単調に移動する。
【０１０１】
図４４に、レンズシステム１０を構成する各レンズのデータを示している。図４５に、レンズシステム１０の焦点距離が無限遠、中間（２４００ｍｍ）、最短（最接近、５００ｍｍ）のときのレンズシステム１０の焦点距離ｆと、Ｆナンバー（ＦＮｏ．）、画角、可変間隔ｄ１１の値を示している。図４６〜４８に、レンズシステム１０の焦点距離が無限遠、中間および最短のときの諸収差（図４６（ａ），４７（ａ），４８（ａ））と、ＭＴＦ（図４６（ｂ），４７（ｂ），４８（ｂ））とを示している。
【０１０２】
これらの図に示したレンズシステム１０は、全体が８枚のレンズからなる。第１のレング群Ｇ１は、３枚構成で、物体側１１に凸の正のメニスカスレンズＬ１１と、両凸の正レンズＬ１３と、両凹の負レンズＬ１４とを含む。レンズＬ１３およびＬ１４は、物体側１１に凸の負のメニスカスレンズタイプの接合レンズＢ１２を構成する。第２のレンズ群Ｇ２は３枚構成で、物体側に凹の負のメニスカスレンズＬ２１と、物体側１１に凹の正のメニスカスレンズＬ２２と、物体側１１に凹の正のメニスカスレンズＬ２３とを含む。レンズＬ２１およびＬ２２は、物体側１１に凹の接合レンズＢ２１を構成する。
【０１０３】
第３のレンズ群Ｇ３は、物体側１１に凸の負のメニスカスレンズＬ３１と、両凸の正レンズＬ３２とを含み、レンズＬ３１およびＬ３２により両凸の接合レンズＢ３１が構成されている。このレンズシステム１０は、光学要素としては、３つの接合レンズＢ１２、Ｂ２１およびＢ３１と、レンズＬ１１およびＬ２３とを含む５つの要素により構成されており、簡易な構成となっている。なお、本例のレンズシステム１０においては、上述した面Ｓ１３、Ｓ１４およびＳ１５はそれぞれ、面Ｓ１２、Ｓ１３およびＳ１４に対応し、面Ｓ１４が像面側１２の最終の面Ｓ１７に対応する。
【０１０４】
図４３に示したレンズシステム１０の諸数値および各条件の値は以下の通りである。
第１のレンズ群Ｇ１の焦点距離 (f1) : 142.14
第２のレンズ群Ｇ２の焦点距離 (f2) : 68.24
第３のレンズ群Ｇ３の焦点距離 (f3) : 396.85
第１および第２のレンズ群の合成焦点距離 (f12) : 72.19
接合レンズＢ３１の焦点距離 (f31ab) : 396.85
第３のレンズ群Ｇ３の後方のレンズＬ３３の焦点距離 (f3GL) : NA
レンズシステムの全長 (WL) : 57.86
第３のレンズ群Ｇ３の全長 (G3L) : 8.38
接合レンズＢ３１の全長 (B31L) : 8.38
条件（１） (f3/f12) : 5.50
条件（２） (B31L/G3L) : 1.00
条件（３） (nB31ab(max(nL31, nL32))) : 1.74
条件（４） (G3L/WL) : 0.14
条件（５） (|f31ab/f3GL|) : NA
条件（６） (|f31ab|+|f3GL|)/|f3|) : NA
条件（７） (nB31a(nL31)) : 1.74
条件（８） (nB31b/nB31a(nL32/nL31)) : 0.92
条件（９） (nB31b(nL32)) : 1.60
条件（１０） (n3GL/nB31b(nL33/nL32)) : NA
条件（１１） (nB11b(nL12)) : NA
条件（１２） (νB11a/νB11b(νL11/νL12)) : NA
【０１０５】
図４３に示したレンズシステム１０は、条件（１）、（２）、（４）、（７）〜（９）および（１３）を満足する。また、条件（１ｃ）を満足する。このレンズシステム１０においては、レンズＬ３２に異常分散レンズを採用している。一方、屈折率が１．８以上の高屈折率のレンズは採用していない。
【０１０６】
このレンズシステム１０は、無限遠にフォーカスしたときの焦点距離が６５ｍｍ程度と中望遠または標準タイプの交換レンズとしての性能を備えており、Ｆナンバー（Ｆ値）が２．８と明るく、画角が４６．８度と大きな撮像レンズを提供できる。また、図４６ないし図４８に示すように、無限遠から近距離（短距離）までのフォーカシングの全域において諸収差が良好に補正された画像を取得できる。ＭＴＦ曲線においては、像高が高い領域を除き、無限遠から近距離までのフォーカシングの全領域において、ＭＴＦの極端な低下は見られず、サジタルとタンジェンシャルとの剥離も小さく良好である。
【図１】
2019131751.tif 000003
【図２】
2019131751.tif 000004
【図３】
2019131751.tif 000005
【図４】
2019131751.tif 000006
【図５】
2019131751.tif 000007
【図６】
2019131751.tif 000008
【図７】
2019131751.tif 000009
【図８】
2019131751.tif 000010
【図９】
2019131751.tif 000011
【図１０】
2019131751.tif 000012
【図１１】
2019131751.tif 000013
【図１２】
2019131751.tif 000014
【図１３】
2019131751.tif 000015
【図１４】
2019131751.tif 000016
【図１５】
2019131751.tif 000017
【図１６】
2019131751.tif 000018
【図１７】
2019131751.tif 000019
【図１８】
2019131751.tif 000020
【図１９】
2019131751.tif 000021
【図２０】
2019131751.tif 000022
【図２１】
2019131751.tif 000023
【図２２】
2019131751.tif 000024
【図２３】
2019131751.tif 000025
【図２４】
2019131751.tif 000026
【図２５】
2019131751.tif 000027
【図２６】
2019131751.tif 000028
【図２７】
2019131751.tif 000029
【図２８】
2019131751.tif 000030
【図２９】
2019131751.tif 000031
【図３０】
2019131751.tif 000032
【図３１】
2019131751.tif 000033
【図３２】
2019131751.tif 000034
【図３３】
2019131751.tif 000035
【図３４】
2019131751.tif 000036
【図３５】
2019131751.tif 000037
【図３６】
2019131751.tif 000038
【図３７】
2019131751.tif 000039
【図３８】
2019131751.tif 000040
【図３９】
2019131751.tif 000041
【図４０】
2019131751.tif 000042
【図４１】
2019131751.tif 000043
【図４２】
2019131751.tif 000044
【図４３】
2019131751.tif 000045
【図４４】
2019131751.tif 000046
【図４５】
2019131751.tif 000047
【図４６】
2019131751.tif 000048
【図４７】
2019131751.tif 000049
【図４８】
2019131751.tif 000050
【国際調査報告】
2019131751.tif 000051
2019131751.tif 000052
2019131751.tif 000053
2019131751.tif 000054
2019131751.tif 000055
2019131751.tif 000056